【手続補正書】
【提出日】平成27年11月25日(2015.11.25)
【手続補正１】
【補正対象書類名】特許請求の範囲
【補正対象項目名】全文
【補正方法】変更
【補正の内容】
【特許請求の範囲】
【請求項１】
ガスタービンの起動過程に起動用燃料からガス燃料へ燃料切り替えを行うガスタービン燃焼器において、
下流側の燃焼室に前記ガス燃料を噴出する複数の燃料ノズルと，前記複数の燃料ノズルと前記燃焼室との間に設置され、前記燃焼室に圧縮空気を導く複数の空気孔が前記複数の燃料ノズルと同軸で複数の同心円状に配置された空気孔プレートとを備えたバーナと、
前記バーナの軸中心に設けられ、前記起動用燃料を噴射する起動用燃料ノズルと、
前記バーナへ前記ガス燃料を供給するガス供給配管と、
前記起動用燃料ノズルへ前記起動用燃料を供給する起動用燃料供給配管と、
前記ガス供給配管に設けられ、前記ガス燃料の供給流量を調整するガス燃料流量調節弁と、
前記起動用燃料供給配管に設けられ、前記起動用燃料の供給流量を調整する起動用燃料流量調節弁と、
前記ガス供給配管に設けられ、前記ガス燃料の温度を計測する温度検出器と、
前記ガス供給配管に設けられ、前記ガス燃料の発熱量を計測する熱量計と、
前記温度検出器と前記熱量計とが計測した前記ガス燃料の温度と発熱量とを取り込み、起動過程における起動用燃料からガス燃料への燃料切り替えの際に、前記ガス燃料の流量の時間変化率と前記起動用燃料の流量の時間変化率とを演算し、各流量指令信号を算出し、前記ガス燃料流量調節弁と前記起動用燃料流量調節弁とへ各流量指令信号を出力する制御装置とを備えた
ことを特徴とするガスタービン燃焼器。
【請求項２】
ガスタービンの起動過程に起動用燃料からガス燃料へ燃料切り替えを行うガスタービン燃焼器において、
下流側の燃焼室に前記ガス燃料を噴出する複数の燃料ノズルと，前記複数の燃料ノズルと前記燃焼室との間に設置され、前記燃焼室に圧縮空気を導く複数の空気孔が前記複数の燃料ノズルと同軸で複数の同心円状に配置された空気孔プレートとを備え、前記ガスタービン燃焼器の軸中心部に配置された中央バーナと、
下流側の燃焼室に前記ガス燃料を噴出する複数の燃料ノズルと，前記複数の燃料ノズルと前記燃焼室との間に設置され、前記燃焼室に圧縮空気を導く複数の空気孔が前記複数の燃料ノズルと同軸で複数の同心円状に配置された空気孔プレートとを備え、前記中央バーナの外周部に複数個配置された外周バーナと、
前記中央バーナの軸中心に設けられ、前記起動用燃料を噴射する起動用燃料ノズルと、
前記複数の外周バーナと前記中央バーナとへ前記ガス燃料をそれぞれ供給する複数のガス供給配管と、
前記起動用燃料ノズルへ前記起動用燃料を供給する起動用燃料供給配管と、
前記複数のガス供給配管に設けられ、前記ガス燃料の供給流量をそれぞれ調整する複数のガス燃料流量調節弁と、
前記起動用燃料供給配管に設けられ、前記起動用燃料の供給流量を調整する起動用燃料流量調節弁と、
前記複数のガス供給配管に設けられ、前記ガス燃料の温度をそれぞれ計測する複数の温度検出器と、
前記複数のガス供給配管の供給元に設けられ、前記供給元のガス燃料の発熱量を計測する熱量計と、
前記複数の温度検出器と前記熱量計とが計測した前記ガス燃料の温度と発熱量とを取り込み、起動過程における起動用燃料からガス燃料への燃料切り替えの際に、前記ガス燃料の流量の時間変化率と前記起動用燃料の流量の時間変化率とを演算し、各流量指令信号を算出し、前記複数のガス燃料流量調節弁と前記起動用燃料流量調節弁とへ各流量指令信号を出力する制御装置とを備えた
ことを特徴とするガスタービン燃焼器。
【請求項３】
請求項１または２に記載のガスタービン燃焼器において、
前記制御装置は、予め前記ガス燃料の温度の基準値と発熱量の基準値とを設定し、これらの基準値と前記温度検出器と前記熱量計とが計測した前記ガス燃料の温度と発熱量との偏差に応じて、前記ガス燃料の流量の時間変化率と前記起動用燃料の流量の時間変化とを変更する
ことを特徴とするガスタービン燃焼器。
【請求項４】
請求項１または２に記載のガスタービン燃焼器において、
前記制御装置は、予め前記ガス燃料の温度の基準値と発熱量の基準値とを設定し、これらの基準値に対して前記温度検出器と前記熱量計とが計測した前記ガス燃料の温度と発熱量とが低い場合には、前記起動用燃料の流量が増加する時間変化率に変更する
ことを特徴とするガスタービン燃焼器。
【請求項５】
請求項１または２に記載のガスタービン燃焼器において、
前記制御装置は、予め前記ガス燃料の温度の基準値と発熱量の基準値とを設定し、これらの基準値に対して前記温度検出器と前記熱量計とが計測した前記ガス燃料の温度と発熱量とが高い場合には、前記起動用燃料の流量が減少する時間変化率に変更する
ことを特徴とするガスタービン燃焼器。
【請求項６】
下流側の燃焼室にガス燃料を噴出する複数の燃料ノズルと，前記複数の燃料ノズルと前記燃焼室との間に設置され、前記燃焼室に圧縮空気を導く複数の空気孔が前記複数の燃料ノズルと同軸で複数の同心円状に配置された空気孔プレートとを備えたバーナと、
前記バーナの軸中心に設けられ、起動用燃料を噴射する起動用燃料ノズルと、
前記バーナへ前記ガス燃料を供給するガス供給配管と、
前記起動用燃料ノズルへ前記起動用燃料を供給する起動用燃料供給配管と、
前記ガス供給配管に設けられ、前記ガス燃料の供給流量を調整するガス燃料流量調節弁と、
前記起動用燃料供給配管に設けられ、前記起動用燃料の供給流量を調整する起動用燃料流量調節弁と、
前記ガス供給配管に設けられ、前記ガス燃料の温度を計測する温度検出器と、
前記ガス供給配管に設けられ、前記ガス燃料の発熱量を計測する熱量計とを備え、起動過程に起動用燃料からガス燃料へ燃料切り替えを行うガスタービン燃焼器の運転方法であって、
前記温度検出器と前記熱量計とが計測した前記ガス燃料の温度と発熱量とを取り込むステップと、起動過程における起動用燃料からガス燃料への燃料切り替え開始を判断するステップと、前記ガス燃料の流量の時間変化率と前記起動用燃料の流量の時間変化率とを演算し、各流量指令信号を算出するステップと、前記ガス燃料流量調節弁と前記起動用燃料流量調節弁とへ各流量指令信号を出力するステップとを備えた
ことを特徴とするガスタービン燃焼器の運転方法。
【手続補正２】
【補正対象書類名】明細書
【補正対象項目名】００１０
【補正方法】変更
【補正の内容】
【００１０】
上記課題を解決するために、例えば特許請求の範囲に記載の構成を採用する。本願は、上記課題を解決する手段を複数含んでいるが、その一例を挙げるならば、ガスタービンの起動過程に起動用燃料からガス燃料へ燃料切り替えを行うガスタービン燃焼器において、下流側の燃焼室に前記ガス燃料を噴出する複数の燃料ノズルと，前記複数の燃料ノズルと前記燃焼室との間に設置され、前記燃焼室に圧縮空気を導く複数の空気孔が前記複数の燃料ノズルと同軸で複数の同心円状に配置された空気孔プレートとを備えたバーナと、前記バーナの軸中心に設けられ、前記起動用燃料を噴射する起動用燃料ノズルと、前記バーナへ前記ガス燃料を供給するガス供給配管と、前記起動用燃料ノズルへ前記起動用燃料を供給する起動用燃料供給配管と、前記ガス供給配管に設けられ、前記ガス燃料の供給流量を調整するガス燃料流量調節弁と、前記起動用燃料供給配管に設けられ、前記起動用燃料の供給流量を調整する起動用燃料流量調節弁と、前記ガス供給配管に設けられ、前記ガス燃料の温度を計測する温度検出器と、前記ガス供給配管に設けられ、前記ガス燃料の発熱量を計測する熱量計と、前記温度検出器と前記熱量計とが計測した前記ガス燃料の温度と発熱量とを取り込み、起動過程における起動用燃料からガス燃料への燃料切り替えの際に、前記ガス燃料の流量の時間変化率と前記起動用燃料流量の時間変化率とを演算し、各流量指令信号を算出し、前記ガス燃料流量調節弁と前記起動用燃料流量調節弁とへ各流量指令信号を出力する制御装置とを備えたことを特徴とする。